(57)【要約】【課題】  携帯電話に装着したり無線通信接続したりしていなくとも撮影することができるが、その場合には撮影時に被写体を確認することができない。このようにして撮影した画像は、撮影失敗している可能性も高いため、撮影後なるべく速やかに撮影した画像を確認したいというユーザの意図を叶えるシステムを提供すること。【解決手段】  撮像装置において、撮影時に携帯電話との無線接続状態を画像データと共に記録し、無線通信接続を介して携帯電話へ画像データを送信して携帯電話で再生表示したときに、その画像データを再生済みとして記憶する、ことを特徴とする構成とした。【選択図】  図５
2019062485.tif 000002
【特許請求の範囲】
【請求項１】
通信装置と無線通信接続が可能な撮像装置において、
撮像装置を操作して撮影する手段とは別に
通信装置からの要求を受けて撮影する手段と、
情報装置と無線通信接続を確立しているか判断する手段と、
通信装置からの要求を受けて撮影した画像データを送信する手段とを備え、
撮影時に無線通信接続の有無を画像データの属性情報として記録し、
情報装置への画像データの送信時に画像データの属性情報として再生済みと記録する
ことを特徴とする撮像装置。
【請求項２】
撮像装置と無線通信接続が可能な通信装置において、
撮像装置内の画像を取得して通信装置の表示部に再生表示する手段と、
撮像装置内に未再生の画像が保存されているか判断する手段とを備え、
無線通信接続が確立した後に撮像装置内に未再生の画像が保存されていると判断した場合に、
撮像装置内の他の画像よりも優先して通信装置の表示部に再生表示し、
画像を再生表示したときに撮像装置へ再生済みの画像であることを通知する
ことを特徴とする通信装置。
【発明の詳細な説明】
【技術分野】
【０００１】
本発明は、ネットワークを介して他の機器と通信する技術に関する。
【背景技術】
【０００２】
従来、デジタルカメラなどのデータ処理装置に無線通信機能を搭載し、データ処理装置の保持する画像データを外部装置へ自動的に送信する技術が知られている。自動的に画像データを送信機能では、どのような画像データを送信の対象にするか、またどのようなタイミングで画像データを送信するか、によって使い勝手が変わっていた。例えば、特許文献１では、外部装置へまだ転送していない画像データに対して、カメラの動作モードと、機能の有効無効設定の、少なくとも一方に応じて自動送信の実行を制御するといった手段が開示されている。これにより、ユーザの意図を反映したタイミングで、必要な画像データのみを外部装置へ送信することを実現することができている。
【０００３】
一方、近年、スマートフォンなどに見られる携帯電話の背面に装着し、無線通信機により携帯電話から撮影操作をすることのできるデジタルカメラが知られている。このカメラは、携帯電話に装着して使用することから、撮影時に被写体を確認したり、撮影後に撮影した画像を再生確認したりするための表示装置を備えていないという特徴を備えている。
【先行技術文献】
【特許文献】
【０００４】
【特許文献１】特開２００７−８１７５２号公報
【発明の概要】
【発明が解決しようとする課題】
【０００５】
しかしながら、このようなデジタルカメラでは、上述の特許文献に開示された従来技術では、ユーザの意図を反映したタイミングで画像データを送信できるとは限らない。このようなデジタルカメラでは、携帯電話に装着したり無線通信接続したりしていなくとも撮影することができるが、その場合には撮影時に被写体を確認することができない。このようにして撮影した画像は、撮影失敗している可能性も高いため、撮影後なるべく速やかに撮影した画像を確認したいというユーザの意図が発生することが考えられる。
【０００６】
そこで、本発明の目的は、被写体を確認せずに撮影した画像を速やかに再生確認することができるシステムを提供することである。
【課題を解決するための手段】
【０００７】
上記目的を達成するために、本発明は、通信装置と無線通信接続が可能な撮像装置において、撮像装置を操作して撮影する手段とは別に通信装置からの要求を受けて撮影する手段と、情報装置と無線通信接続を確立しているか判断する手段と、通信装置からの要求を受けて撮影した画像データを送信する手段とを備え、撮影時に無線通信接続の有無を画像データの属性情報として記録し、情報装置への画像データの送信時に画像データの属性情報として再生済みと記録する。
【発明の効果】
【０００８】
本発明によれば、携帯電話と無線通信接続をせず、撮影時に被写体を確認せずに撮影しても、その画像データを他の画像データよりも優先して撮影結果を確認することができ、その中で失敗した画像が含まれる場合にはユーザの意思に沿って削除する機能など目的に応じた機能を提供することができる。
【図面の簡単な説明】
【０００９】
【図１】第１の実施形態における外部カメラの構成を示すブロック図である。
【図２】第１の実施形態における携帯電話の構成を示すブロック図である。
【図３】第１の実施形態におけるユースケースを示す図である。
【図４】第１の実施形態における携帯電話の表示画面の一例を示した図である。
【図５】第１の実施形態における外部カメラの撮影時の動作を示すフローチャートである。
【図６】第１の実施形態における外部カメラの無線通信接続時の動作を示すフローチャートである。
【発明を実施するための形態】
【００１０】
以下に、本発明の好ましい実施の形態を、添付の図面に基づいて詳細に説明する。
【００１１】
＜外部カメラの構成＞
図１は、撮像装置の一例である外部カメラ１００の構成例を示すブロック図である。図１において、撮像レンズ１０２はズームレンズ、フォーカスレンズを含むレンズ群である。シャッター１０３は絞り機能を備えるシャッターである。撮像部１０４は光学像を電気信号に変換するＣＣＤやＣＭＯＳ素子等で構成される撮像素子である。Ａ／Ｄ変換器１０５は、アナログ信号をデジタル信号に変換する。Ａ／Ｄ変換器１０５は、撮像部１０４から出力されるアナログ信号をデジタル信号に変換するために用いられる。バリア１０１は、外部カメラ１００の、撮像レンズ１０２を含む撮像系を覆うことにより、撮像レンズ１０２、シャッター１０３、撮像部１０４を含む撮像系の汚れや破損を防止する。
【００１２】
画像処理部１１１は、Ａ／Ｄ変換器１０５からのデータ、又は、メモリ制御部１０８からのデータに対し所定の画素補間、縮小といったリサイズ処理や色変換処理を行う。また、画像処理部１１１では、撮像した画像データを用いて所定の演算処理が行われ、得られた演算結果に基づいてシステム制御部１２１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１１１では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器１０５からの出力データは、画像処理部１１１及びメモリ制御部１０８を介して、或いは、メモリ制御部１０８を介してメモリ１０９に直接書き込まれる。メモリ１０９は、撮像部１０４によって得られ、Ａ／Ｄ変換器１０５によりデジタルデータに変換された画像データを格納する。メモリ１０９は、所定枚数の静止画像や所定時間の動画像および音声を格納するのに十分な記憶容量を備えている。
【００１４】
不揮発性メモリ１２４は、電気的に消去・記録可能なメモリであり、例えばＥＥＰＲＯＭ等が用いられる。不揮発性メモリ１２４には、システム制御部１２１の動作用の定数、プログラム等が記憶される。ここでいう、プログラムとは、本実施形態にて後述する各種フローチャートを実行するためのプログラムのことである。
【００１５】
システム制御部１２１は、外部カメラ１００全体を制御する。前述した不揮発性メモリ１２４に記録されたプログラムを実行することで、後述する本実施形態の各処理を実現する。システムメモリ１２３は、ＲＡＭが用いられる。システムメモリ１２３には、システム制御部１２１の動作用の定数、変数、不揮発性メモリ１２４から読み出したプログラム等を展開する。また、システム制御部はメモリ１０９、Ｄ／Ａ変換器１０６等を制御することにより表示制御も行う。
【００１６】
システムタイマー１２２は各種制御に用いる時間や、内蔵された時計の時間を計測する計時部である。
【００１７】
モード切替スイッチ１１５、第１シャッタースイッチ１１９、第２シャッタースイッチ１２０、操作部１１３はシステム制御部１２１に各種の動作指示を入力するための操作手段である。
【００１８】
モード切替スイッチ１１５は、システム制御部１２１の動作モードを静止画記録モード、動画記録モード、等のいずれかに切り替える。静止画記録モードに含まれるモードとして、オート撮像モード、オートシーン判別モード、マニュアルモード、撮像シーン別の撮像設定となる各種シーンモード、プログラムＡＥモード、カスタムモード等がある。モード切り替えスイッチ１１５で、静止画撮像モードに含まれるこれらのモードのいずれかに直接切り替えられる。
【００１９】
あるいは、モード切り替えスイッチ１１５で静止画撮像モードに一旦切り換えた後に、静止画撮像モードに含まれるこれらのモードのいずれかに、他の操作部材を用いて切り替えるようにしてもよい。同様に、動画撮像モードにも複数のモードが含まれていてもよい。第１シャッタースイッチ１１９は、外部カメラ１００に設けられたシャッターボタン１１４の操作途中、いわゆる半押し（撮像準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２０】
第２シャッタースイッチ１２０は、シャッターボタン１１４の操作完了、いわゆる全押し（撮像指示）でＯＮとなり、第２シャッタースイッチ信号ＳＷ２を発生する。システム制御部１２１は、第２シャッタースイッチ信号ＳＷ２により、撮像部１０４からの信号読み出しから記録媒体１２８に画像データを書き込むまでの一連の撮像処理の動作を開始する。
【００２１】
操作部１１３の各操作部材は、表示部１０７に表示される種々の機能アイコンを選択操作することなどにより、場面ごとに適宜機能が割り当てられ、各種機能ボタンとして作用する。機能ボタンとしては、例えば終了ボタン、戻るボタン、属性変更ボタン等がある。例えば、メニューボタンが押されると各種の設定可能なメニュー画面が表示部１０７に表示される。利用者は、表示部１０７に表示されたメニュー画面と、上下左右の４方向ボタンやＳＥＴボタンとを用いて直感的に各種設定を行うことができる。
【００２２】
電源制御部１１７は、電池検出回路、ＤＣ−ＤＣコンバータ、通電するブロックを切り替えるスイッチ回路等により構成され、電池の装着の有無、電池の種類、電池残量の検出を行う。また、電源制御部１１７は、その検出結果及びシステム制御部１２１の指示に基づいてＤＣ−ＤＣコンバータを制御し、必要な電圧を必要な期間、記録媒体１２８を含む各部へ供給する。
【００２３】
電源部１１８は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１２７は、メモリーカードやハードディスク等の記録媒体１２８とのインターフェースである。記録媒体１２８は、撮像された画像を記録するためのメモリーカード等の記録媒体であり、半導体メモリや磁気ディスク等から構成される。
【００２４】
通信Ｉ／Ｆ１１０は、外部機器やネットワーク１１２などと通信して、ファイルやコマンドなどの各種データの送受信を行うためのインターフェースである。このインターフェースとしては、例えば無線ＬＡＮやＢｌｕｅｔｏｏｔｈ（登録商標）などの無線インターフェースや、ＵＳＢなどの有線インターフェースを用いることができる。
【００２５】
＜携帯電話の構成＞
図２は、本実施形態の通信装置の一例である携帯電話２００の構成例を示すブロック図である。
【００２６】
なお、ここでは通信装置の一例として携帯電話について述べるが、通信装置はこれに限られない。例えば通信装置は、携帯型のメディアプレーヤやいわゆるタブレットデバイス、パーソナルコンピュータ、スマートフォンなどの情報処理装置であってもよい。
本実施形態でいう携帯電話とは携帯電話の一種であり、携帯電話は対応するアプリケーションをインストールすることで、種々の機能を実行することができるものとする。本実施形態の携帯電話は、種々のカメラ機能を実現するためのカメラアプリケーションがインストールされている。
【００２７】
なお、カメラアプリケーションは携帯電話２００の出荷時点で予めインストールされていてもよいし、携帯電話２００を購入したユーザの操作によりインストールされてもよい。なお、ここでは通信装置の一例として携帯電話について述べるが、通信装置はこれに限られない。
【００２８】
図２において、撮像レンズ２０２はズームレンズ、フォーカスレンズを含むレンズ群である。シャッター２０３は絞り機能を備えるシャッターである。撮像部２０４は光学像を電気信号に変換するＣＣＤやＣＭＯＳ素子等で構成される撮像素子である。Ａ／Ｄ変換器２０５は、アナログ信号をデジタル信号に変換する。Ａ／Ｄ変換器２０５は、撮像部２０４から出力されるアナログ信号をデジタル信号に変換するために用いられる。バリア２３１は、携帯電話２００の、撮像レンズ２３２を含む撮像系を覆うことにより、撮像レンズ２３２、シャッター２３３、撮像部２３４を含む撮像系の汚れや破損を防止する。
【００２９】
本実施形態の携帯電話は、１つの撮像部を持ち、内蔵カメラを１つ備えている。バリア２３１、撮像レンズ２３２、シャッター２３３、撮像部２３４は携帯電話２００のリアカメラ部であり、表示部２０７の反対側の面に取り付けられる。リアカメラは主として携帯電話２００の保持者が、他の被写体を撮像するために用いられる。
【００３０】
画像処理部２１１は、Ａ／Ｄ変換器２０５からのデータ、又は、メモリ制御部２０８からのデータに対し所定の画素補間、縮小といったリサイズ処理や色変換処理を行う。また、画像処理部２１１では、撮像した画像データを用いて所定の演算処理が行われ、得られた演算結果に基づいてシステム制御部２２１が露光制御、測距制御を行う。
【００３１】
これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２１１では更に、撮像した画像データを用いて所定の演算処理を行い、得られた演算結果に基づいてＴＴＬ方式のＡＷＢ（オートホワイトバランス）処理も行っている。
【００３２】
Ａ／Ｄ変換器２０５からの出力データは、画像処理部２１１及びメモリ制御部２０８を介して、或いは、メモリ制御部２０８を介してメモリ２０９に直接書き込まれる。メモリ２０９は、撮像部２０４によって得られ、Ａ／Ｄ変換器２０５によりデジタルデータに変換された画像データや、表示部２０７に表示するための画像データを格納する。メモリ２０９は、所定枚数の静止画像や所定時間の動画像および音声を格納するのに十分な記憶容量を備えている。
【００３３】
また、メモリ２０９は画像表示用のメモリ（ビデオメモリ）を兼ねている。Ｄ／Ａ変換器２０６は、メモリ２０９に格納されている画像表示用のデータをアナログ信号に変換して表示部２０７に供給する。こうして、メモリ２０９に書き込まれた表示用の画像データはＤ／Ａ変換器２０６を介して表示部２０７により表示される。表示部２０７は、ＬＣＤ等の表示器上に、Ｄ／Ａ変換器２０６からのアナログ信号に応じた表示を行う。Ａ／Ｄ変換器２０５によって一度Ａ／Ｄ変換されメモリ２０９に蓄積されたデジタル信号をＤ／Ａ変換器２０６においてアナログ変換し、表示部２０７に逐次転送して表示することで、電子ビューファインダとして機能し、スルー画像表示を行える。
【００３４】
不揮発性メモリ２２４は、電気的に消去・記録可能なメモリであり、例えばＥＥＰＲＯＭ等が用いられる。不揮発性メモリ２２４には、システム制御部２２１の動作用の定数、プログラム等が記憶される。ここに記憶されるプログラムは、本実施形態にて後述する各種フローチャートを実行するためのプログラムを含み、前述したカメラアプリケーションもこの不揮発性メモリ２２４に記憶される。
【００３５】
システム制御部２２１は、携帯電話２００全体を制御する。前述した不揮発性メモリ２２４に記録されたプログラムを実行することで、後述する本実施形態の各処理を実現する。システムメモリ２２３は、ＲＡＭが用いられる。システムメモリ２２３には、システム制御部２２１の動作用の定数、変数、不揮発性メモリ２２４から読み出したプログラム等を展開する。また、システム制御部はメモリ２０９、Ｄ／Ａ変換器２０６、表示部２０７等を制御することにより表示制御も行う。
【００３６】
システムタイマー２２２は各種制御に用いる時間や、内蔵された時計の時間を計測する計時部である。操作部２１３はシステム制御部２２１に各種の動作指示を入力するための操作手段である。
【００３７】
なお、本実施形態の携帯電話は表示部２０７の全面に構成されたタッチパネルを用いるものとする。すなわち、表示部２０７に種々の操作部を表示し、携帯電話はその操作部のタッチを検知することでタッチ位置に応じた処理を実行する。
【００３８】
操作部としては、例えば終了ボタン、戻るボタン、画像送りボタン、ジャンプボタン、絞込みボタン、属性変更ボタン等がある。例えば、メニューボタンが押されると各種の設定可能なメニュー画面が表示部２０７に表示される。
【００３９】
電源制御部２１７は、電池検出回路、ＤＣ−ＤＣコンバータ、通電するブロックを切り替えるスイッチ回路等により構成され、電池の装着の有無、電池の種類、電池残量の検出を行う。また、電源制御部２１７は、その検出結果及びシステム制御部２２１の指示に基づいてＤＣ−ＤＣコンバータを制御し、必要な電圧を必要な期間、記録媒体２２８を含む各部へ供給する。
【００４０】
電源部２１８は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ２２７は、メモリーカードやハードディスク等の記録媒体２２８とのインターフェースである。記録媒体２２８は、撮像された画像を記録するためのメモリーカード等の記録媒体であり、半導体メモリや磁気ディスク等から構成される。
【００４１】
音声出力部２２５および音声入力部２２９を介し、ユーザに対して音声データを出力およびユーザの音声データを入力する事により携帯電話として会話することが可能となる。
【００４２】
通信Ｉ／Ｆ２１０は、電話回線を介し音声データを送受信することで遠隔地との通話が可能となる。また、外部機器やネットワーク１１２などと通信して、他の機器とファイルやコマンドなどの各種データの送受信を行うためのインターフェースにも用いられる。このインターフェースとしては、例えば無線ＬＡＮやＢｌｕｅｔｏｏｔｈ（登録商標）などの無線インターフェースや、ＵＳＢなどの有線インターフェースを用いることができる。
【００４３】
＜タッチパネル操作＞
なお、本実施形態では操作部２１３にタッチパネルが含まれるため、ここでタッチパネル操作について説明する。システム制御部２２１は、タッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、スライドと称する）。タッチパネルへ触れていた指やペンを離したこと（以下、タッチアップと称する）。タッチパネルに何も触れていない状態（以下、タッチオフと称する）。
【００４４】
これらの操作や、タッチパネル上に指やペンが触れている位置座標はシステム制御部２２１に通知され、システム制御部２２１は通知された情報に基づいてタッチパネル上にどのような操作が行なわれたかを判定する。タッチダウンされてからスライドを行わずに所定時間内にタッチアップをしたとき、タップが行われたこととする。タップは一瞬だけタッチパネルをタッチする操作であり、項目の指定やボタンの押下など、マウスでいうクリックと同等の操作として用いられることが多い。をタッチパネル上をタッチダウンから一定のスライドを経てタッチアップをしたとき、ストロークを描いたこととする。
【００４５】
素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でスライドしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００４６】
＜ユースケース＞
図３は、本実施例の外部カメラおよび携帯電話のユースケースを示す全体システムのユースケース例を示した図である。ここで述べる外部カメラ１００には、前述の構成のとおり、表示部１０７に撮像したデータを表示する機能も、撮影した画像データを表示する機能も備えないものとする。
【００４７】
図３（ａ）は、携帯電話２００に外部カメラ１００を装着して撮影するユースケースを示す。携帯電話２００が通信Ｉ／Ｆ１１０及び通信Ｉ／Ｆ２１０を介して外部撮像装置としての外部カメラ１００と通信し、外部カメラ１００の撮像部１０４を動作させるよう制御し、撮影操作をすることができる。また、デジタルカメラ１００で撮像している映像は無線通信を介して送信され、携帯電話２００の表示部２０７に映し出すことにより、ユーザは被写体を確認することできる。更には、撮影後、外部カメラ１００が撮影した画像データも無線通信を介して送信され、携帯電話２００の表示部２０７に表示することにより、ユーザは撮影後すぐに撮影結果を再生確認することができる。
【００４８】
図３（ｂ）は、携帯電話２００に外部カメラ１００を装着せずに撮影するユースケースを示す。この場合、携帯電話２００との無線通信接続を確立せずに、外部カメラ１００のみを操作して撮影操作を行う。この場合、被写体を確認する行為が発生しないため、極度なローアングルの撮影や、狭いところに入り込んでの撮影などを楽しむことができる。ただし、外部カメラ１００は表示部１０７に撮像している映像を表示する機能を備えていないため、当然として携帯電話２００の表示部２０７には被写体が映し出されることはない。そのため、ユーザは、撮影時に被写体を確認することも、撮影後に撮影した画像データを再生表示して確認することもできない。
【００４９】
図３（ｃ）は、携帯電話２００に外部カメラ１００を装着して撮影しようと試みたが、結果、外部カメラ１００のみで撮影したユースケースを示す。撮影に向けて、携帯電話２００への外部カメラ１００の装着や、両機器間の無線接続の確立など、撮影に向けての準備の手続きに時間を要する。この撮影に向けての準備手続きを行っている最中に、シャッターチャンスが訪れた場合、被写体の構図の確認などよりも撮影を優先することになると思われる。このような場合、撮影した画像が思い通りの結果となっているか、いち早く確認したいというのがユーザの望むところである。
【００５０】
以上のことから、図３（ｂ）や図３（ｃ）に見られる外部カメラ１００のみで撮影した場合は、被写体を確認せずに撮影したため、撮影結果が思い通りのものになっているか不安であるため、撮影した画像データをすみやかに再生表示することをユーザは望む。また、図３（ａ）のように外部カメラ１００を携帯電話２００に装着して撮影した画像データ、すでに再生表示して撮影の結果を確認した画像データよりも、優先して、外部カメラ１００のみで撮影した画像データを再生表示して確認したい。これらのユーザの要求を実現するための携帯電話２００の動作を次に説明する。
【００５１】
＜携帯電話の表示画面＞
図４は、携帯電話２００の表示画面の一例を示した図である。これらの表示画面は、携帯電話２００でアプリケーションを起動させた際に、表示部２０７によって表示される画面である。画面上には各種操作部が表示され、ユーザは所望の操作部にタッチすることで各種処理の実行を指示することができる。
【００５２】
図４（ａ）は、外部カメラ１００に対して無線通信接続を介して撮影制御する撮影モードの画面である。撮影モード画面４００には、現在撮影モードであることを示すモード表示部４０１を備える。撮影モードでは、画面中央にライブビュー４０３を表示する。これは外部カメラの撮像データを無線通信接続を介して携帯電話が取得して映し出したものであり、撮影前に被写体の確認をすることができる。レリーズボタン４０４がタップされると、携帯電話２００は無線通信接続を介して外部カメラ１００へ撮影要求を送信して、撮影制御を行い、記憶媒体１２８に画像データとして保存することができる。
【００５３】
撮影が成功すると、外部カメラ１００は携帯電話２００へ撮影成功の通知を行い、これを受けて携帯電話２００は外部カメラ１００の記憶媒体１２８に保存された画像データを取得して、ライブビュー４０３に再生表示する。これにより、ユーサは撮影操作後、速やかに撮影結果を確認することができる。
【００５４】
なお、撮影モード画面４００には、モード切り替え操作部４０２を備える。ユーザは、この操作部のスイッチを切り替えることにより、撮影モードから再生モードへの切り替えを行うことができ、この操作にともない、携帯電話２００は撮影モード画面４００を再生モード画面４１０へ切り替える。
【００５５】
図４（ｂ）は、外部カメラ１００の記憶媒体１２８に保存された画像を無線通信接続を介して再生表示する再生モードの画面である。再生モード画面４１０には、現在撮影モードであることを示すモード表示部４１１を備える。再生モードでは、外部カメラ１００の記憶媒体１２８に保存された画像の一覧をサムネイル画像４１５などリスト表示し、その中のフォーカスの当たったサムネイル画像４１４のプレビュー画像４１３を画面中央に表示する。ユーザは、画像の一覧の中から所望のサムネイル画像をタップすることにより、画面中央にプレビュー画像として再生表示することができる。
【００５６】
また、再生モード画面４１０では、携帯電話２００を操作して外部カメラ１００の記憶媒体１２８に保存された画像を除することができる。削除ボタン４１６をタップすることにより削除操作を行うことができる。この操作については、後述の図４（ｄ）で説明する。
【００５７】
なお、撮影モード画面４１０にも、モード切り替え操作部４１２を備える。ユーザは、この操作部のスイッチを切り替えることにより、再生モードから撮影モードへの切り替えを行うことができ、この操作にともない、携帯電話２００は再生モード画面４１０を撮影モード画面４００へ切り替える。
【００５８】
図４（ｃ）は、外部カメラ１００の記憶媒体１２８に保存された画像データに、外部カメラ単体で撮影し、かつ未再生の画像データが含まれる場合に、携帯電話２００が外部カメラ１００と無線通信接続を確立した後に表示する画面であり、撮影モード画面４００の画面中央に未チェック画像確認メッセージ４２１を表示する。通常、外部カメラ１００と無線接続を確立した時には、図４（ａ）の撮影モード画面を表示するが、外部カメラ単体で撮影し、かつ未再生の画像データが含まれる場合に、このメッセージを表示する。未チェック画像確認メッセージ４２１とともに表示したＯＫボタン４２２がタップされると、未チェック画像再生画面４３０を表示する。
【００５９】
図４（ｄ）に、未チェック画像再生画面を表示する。未チェック画像再生画面４３０は、モード表示部４３１に通常の再生モードではなく、外部カメラ１００の記憶媒体１２８に保存された画像データのうち、外部カメラ単体で撮影し、かつ未再生の画像データを表示していることをユーザに伝える。携帯電話２００は、外部カメラ１００から対象の画像データを取得し、画像の一覧をサムネイル画像４３５などリスト表示し、その中のフォーカスの当たったサムネイル画像４３４のプレビュー画像４３３を画面中央に表示する。ユーザは、画像の一覧の中から所望のサムネイル画像をタップすることにより、画面中央にプレビュー画像として再生表示することができる。
【００６０】
同時に、この画面では、再生モード画面４１０の削除ボタン４１３がタップされた状態４３６で表示される。この状態においては、リスト表示された画像にチェックボックス４３７が表示され、ユーザにタップされることにより画像が選択状態となり、実行ボタン４３９がタップされると、無線通信接続を介して外部カメラ１００の記憶媒体１２８に保存された対象の画像を削除することができる。
【００６１】
これによりユーザは、まだ再生表示したことのなかったレンズ単体で撮影した画像をすみやかに再生表示するとともに、撮影が失敗していたと判断した画像データは速やかに削除することができる。
【００６２】
＜画像判定について＞
ここで、図４（ｄ）のみチェック画像再生画面４３０では、外部カメラ１００の記憶媒体１２８に保存された、外部カメラ単体で撮影し、かつ未再生の画像データを表示した。これらの条件に該当する画像データを携帯電話２００および外部カメラ１００が判断できるように、本実施例では画像ファイルに属性情報として情報を記録する。
【００６３】
外部カメラ単体で撮影したかどうかを判断できるように、撮影時に外部カメラ１００が携帯電話２００と無線通信接続を確立していたかどうかを、画像データ内に記録する。
また、未再生の画像データかどうかを判断できるように、携帯電話２００で再生表示時に再生済みであるとの情報を、画像データ内に記録する。以下、上記の処理について、フローチャートをもって説明する。
【００６４】
＜外部カメラの撮影時の動作を示すフローチャート＞
図５は、外部カメラ１００が撮影時の動作を示すフローチャートである。このフローチャートを用いて、外部カメラが撮影モードに遷移した後の処理について説明する。
【００６５】
外部カメラ１００は、撮影モードに遷移した後、ステップＳ５０１で携帯電話２００との無線通信接続が確立しているか確認する。接続が確立していると判断した場合には、ステップＳ５０２で無線通信接続中であることを記憶し、ステップＳ５０３で撮像した映像データを携帯電話２００へ送信する。携帯電話２００ではこの映像データを受信して表示部２０７に撮影モード画面４００にライブビュー４０３として表示することで、ユーザは外部カメラ１００の被写体を撮影前に確認することができる。一方、ステップＳ５０１で、携帯電話２００との無線接続が確立していないと判断した場合には、ステップＳ５０４で無線通信未接続であることを記憶する。
【００６６】
続いて、ステップＳ５０５では、外部カメラ１００が無線通信接続を介して携帯電話２００からの撮影要求を受信したか判断する。この撮影要求は携帯電話２００の表示部２０７に表示された撮影モード画面４００のレリーズボタン４０４とタップによるユーザの撮影指示を受けることにより、携帯電話２００から外部カメラ１００へ送られる。撮影要求を受信していない場合には、ステップＳ５０１へ戻り、携帯電話２００との無線通信接続状態の確認と携帯電話２００へのライブビュー映像データの送信を行う。ステップＳ５０５で携帯電話２００が撮影要求を受信したと判断した場合には、ステップＳ５０６へ進む。
【００６７】
ステップＳ５０６では、外部カメラ１００は撮影処理を行い、ステップＳ５０７で撮影した画像データを画像ファイルとして記憶媒体２２８へ保存する。画像データの保存後、ステップＳ５０８では、ステップＳ５０２およびステップＳ５０４で記憶した携帯電話２００との無線接続状態を画像ファイルの属性情報として記憶する。
【００６８】
その後、一連の撮影処理が完了したら、撮影画像データを携帯電話２００の表示部２０７へ再生表示するための処理を行う。ステップＳ５０９で携帯電話２００との無線通信接続状態を確認し、接続中であればステップＳ５１０で撮影した画像データのプレビュー画像を携帯電話２００へ送信する。その直後に、ステップＳ５１１で記憶媒体２２８へ記憶した画像ファイルの属性情報として、再生済みであることを記録する。なお、ステップＳ５０９で無線通信未接続と判断した場合には、これらの再生表示の処理を行わない。
【００６９】
これらの処理を行った後、ステップＳ５１２で外部カメラ１００のモードが撮影状態のままであるかを確認して、撮影モードのままであればステップＳ５０１へ戻って同様の処理を行う。ステップＳ５１２で、外部カメラ１００が撮影モード以外に遷移したと判断した場合には、撮影モードの一連の処理を終了する。
【００７０】
以上の処理により、外部カメラ１００が携帯電話２００と無線通信接続を確立した状態で撮影した画像データは、外部カメラ１００単体で撮影したものではなく、かつ再生済み、の情報が画像ファイル内に記録される。一方、外部カメラ１００単体で撮影した画像データは、外部カメラ１００単体で撮影したこととともに、未再生、の情報が画像ファイル内に記録される。
【００７１】
なお、ステップＳ５０７において、外部カメラ１００は携帯電話２００との無線通信接続状態を撮影後に記憶媒体２２８に保存した画像ファイルの属性情報として記録すると説明したが、画像ファイル自体に記録せずとも、別ファイルで画像リストを作成して情報記録しても良い。
【００７２】
また同様に、ステップＳ５１１において、外部カメラ１００は携帯電話２００での再生済情報を画像ファイルの属性情報として記録すると説明したが、画像ファイル自体に記録せずとも、別ファイルで画像リストを作成して情報記録しても良い。
【００７３】
＜外部カメラの無線通信接続時の動作を示すフローチャート＞
図５は、外部カメラ１００が無線通信接続時の動作を示すフローチャートである。このフローチャートを用いて、外部カメラ１００が携帯電話２００との無線通信接続を確立した後の処理について説明する。
【００７４】
外部カメラ１００は無線通信接続確立後、外部カメラ１００の記憶媒体２２８内に保存された画像ファイルの確認を行い、外部レンズ１００単体で撮影したままで携帯電話２００で再生していない未チェック画像が存在するか確認する。まずステップＳ６０１で、外部カメラ１００は記憶媒体２２８内の保存済み画像ファイルを確認する。
【００７５】
保存済みの画像ファイルに対して、ステップＳ６０２では撮影時に無線通信接続していたかどうかを確認し、該当する場合には続いてステップＳ６０３で携帯電話２００で再生済みかどうか確認する。再生済みと判断した場合には、ステップＳ６０４で未チェック画像としてリストに追加して記憶する。このリストには記憶媒体２２８内の画像ファイルのパスや識別ＩＤやハンドルなど、中で識別できるための情報を記憶する。外部カメラは記憶媒体２２８内に保存された画像データすべてに対してステップＳ６０２からステップＳ６０４の処理を行い、未チェック画像リストを作成する。
【００７６】
続いて、未チェック画像を携帯電話２００に表示するための処理に進む。ステップＳ６０５では、ステップＳ６０４で作成した未チェック画像リストを確認して、未チェック画像が１つでも存在する場合には、ステップＳ６０６へ進む。一方、未チェック画像が１つも存在しない場合には、ステップＳ６１２へ進み、撮影モードへ遷移する。これは、外部カメラ１００と携帯電話２００が無線通信接続を確立した後に、携帯電話２００が撮影モード画面４００を表示して撮影できるようにするためである。
【００７７】
次にステップＳ６０６では、外部カメラ１００は未チェック画像が存在することを携帯電話２００へ通知する。これを受けた携帯電話２００は表示部２０７上に撮影モード画面４００の上に未チェック画像確認メッセージ４２１を表示する。ユーザがＯＫボタン４２２をタップすると、携帯電話２００は未チェック画像再生画面４３０を表示するために必要な画像データを外部カメラ１００から取得処理を開始する。
【００７８】
外部カメラ１００は、ステップＳ６０７で携帯電話２００から未チェック画像リストの取得要求を受けたと判断すると、ステップＳ６０８にてステップＳ６０４で作成した未チェック画像リストを送信する。これを受けた携帯電話２００は、未チェック画像リストに記録された画像識別情報をもとに外部カメラ１００へ画像データのプレビュー画像の取得要求を行う。外部カメラ１００は、ステップＳ６０９で携帯電話２００からプレビュー画像取得要求を受けたと判断すると、ステップＳ６１０で記憶媒体２２８に保存した画像ファイルのプレビュー画像を外部カメラ１００へ送信する。
【００７９】
また、ステップＳ６１１にて外部カメラ１００の記憶媒体２２８に保存された画像ファイルに属性情報として再生済みと記録する。このようにステップＳ６０７からステップＳ６１１までの処理を行うことにより、携帯電話２００は表示部２０７上に未チェック画像確認画面４３０を表示することができる。
【００８０】
上記の処理を経て、ユーザが携帯電話２００のみチェック画像確認画面４３０のモード切り替え操作部４３２の操作などにより撮影モードへ遷移して未チェック画像確認を終了する。ステップＳ６１２では外部カメラ１００は携帯電話２００が撮影モードに移行したことを検知すると、ステップＳ６１３で外部カメラ１００は撮影モードへ遷移する。
【００８１】
以上、本発明の好ましい実施形態について説明したが、本発明はこれらの実施形態に限定されず、その要旨の範囲内で種々の変形及び変更が可能である。
【符号の説明】
【００８２】
１００  外部カメラ
１０２  撮像レンズ
１０３  シャッター
１０４  撮像部
１０５  Ａ／Ｄ変換器
【図１】
2019062485.tif 000003
【図２】
2019062485.tif 000004
【図３】
2019062485.tif 000005
【図４】
2019062485.tif 000006
【図５】
2019062485.tif 000007
【図６】
2019062485.tif 000008